(57)【特許請求の範囲】
【請求項１】
基底部；
前記基底部に設けられ、試料を貯蔵し、貯蔵された試料を気化させるための試料気化部；
前記基底部に設けられ、試料を収集するために一列に連続的に配列されるように形成された複数の収集器を備え、備えられた複数の収集器が順次的に前記試料気化部から気化される物質を通るようにする収集部；
前記収集部の収集器が前記試料気化部を順次的に通るように前記収集部を移動させる駆動部；及び
前記試料気化部を制御して試料が気化されるようにし、前記駆動部を制御して前記収集部が移動されるように制御する制御装置を含み、
前記制御装置は前記試料気化部の温度変化量に比例するように前記収集部の移動速度を制御する、混合物の分離凝縮装置。
【請求項２】
前記収集部を冷却させるための冷却部をさらに含む請求項１に記載の混合物の分離凝縮装置。
【請求項３】
前記収集部を乾燥した状態に維持するようにするためのパージ部をさらに含む請求項１に記載の混合物の分離凝縮装置。
【請求項４】
前記試料気化部の温度を測定する温度測定部をさらに含む請求項１に記載の混合物の分離凝縮装置。
【請求項５】
前記試料気化部は、
試料を貯蔵する試料セル；
前記試料セルを加熱するための加熱器；及び
基底部に設けられ、試料セルと加熱器を搭載するためのセルホルダーを含む請求項１に記載の混合物の分離凝縮装置。
【請求項６】
前記収集部は、
試料を収集するために一列に連続的に配列されるように形成された複数の前記収集器を備え、備えられた複数の収集器が順次的に前記試料気化部から気化される物質を通るように移動する移動板；及び
前記移動板を支持し、前記基底部から離隔されるようにする支持部材を含む請求項１に記載の混合物の分離凝縮装置。
【請求項７】
気化される物質が限定された収集器にのみ付着されることができるように制限する開口部が形成されている誘導器をさらに含む請求項６に記載の混合物の分離凝縮装置。
【請求項８】
前記誘導器の開口部の間隔は調整可能であることを特徴とする請求項７に記載の混合物の分離凝縮装置。
【請求項９】
前記収集器は板状であることを特徴とする請求項１に記載の混合物の分離凝縮装置。
【請求項１０】
前記収集器は０．１〜１００μｍ間隔の微細パターンを有した固体板であることを特徴とする請求項１に記載の混合物の分離凝縮装置。
【請求項１１】
前記収集器は毛細管が格子状に形成された毛細管アレイであることを特徴とする請求項１に記載の混合物の分離凝縮装置。
【請求項１２】
前記制御装置は、
前記試料気化部の温度を設定昇温速度に比例するように増加させる温度制御器；
前記駆動部を制御して、前記収集部の移動速度が前記試料気化部の温度変化量に比例して移動するようにする駆動制御器；及び
前記試料気化部の温度変化量に収集部の移動速度が比例するように、前記駆動制御器を通じて駆動部を制御する中央制御器を含む請求項１に記載の混合物の分離凝縮装置。
【発明の詳細な説明】
【技術分野】
【０００１】
本発明は混合物の分離凝縮装置に関する。
【背景技術】
【０００２】
混合溶液の構成成分を見出すことは産業的や学術的に非常に重要なことである。現代において複雑な混合溶液の構成成分に対する精密分析には、クロマトグラフィー法に基づく分離・分析方法がもっとも広く用いられている。しかし、この方法を用いて分離・分析を遂行するためには、蓄積された経験と熟練された技術が要求される。
また他の混合溶液の分離方法は構成成分の沸点の差異を用いた分別蒸留法があり、これに係わる伝統的な分別蒸留装置は石油精製のような分離−精製に広く用いられる。
【０００３】
しかし、このような伝統的な分別蒸留装置は、現代の化学器機分析装備と結合されて分離−分析に活用されるには運営が煩わしく、多量の物質の分離に適するように設計されて製作されるため、少量試料の分離−分析には適していないという問題点がある。
一方、物質の沸点と気化点の差異を用いて構成成分を分離−分析する従来の他の技術は、熱重量法と質量分析法及び赤外線分光法を結合させたＴＧ−ＭＳ、ＴＧ−ＩＲなどの融合分析技術で発見される。
【０００４】
これら分析法では、試料の蒸発、気化、熱分解過程に伴う夫々の重量変化を測定すると同時に、各過程で放出される蒸気と気体を質量分析器及び赤外線分光器に誘導し、これらの気体成分を分析する。
このような分析法はオンライン分離−分析を可能にする長所を有するが、流れる気体を分析するため、分離されて出された試料（気体）を多様な分析方法を用いて多角度から分析するには適していないという問題点がある。
また、個別的に生産された熱重量分析器と質量分析器及び赤外線分光器を連結するためには、既存装備の大々的な変更が必要であるという問題点がある。
【発明の開示】
【発明が解決しようとする課題】
【０００５】
本発明は上述のような問題点を解決するために導き出されたものであり、少量の試料を気化させるのに適する試料気化部と少量の試料を収集するのに適する収集部を備え、少量の混合物を自動的に分離できるようにする混合物の分離凝縮装置を提供することを目的とする。
【課題を解決するための手段】
【０００６】
上述のような目的を果たすための本発明は、基底部；前記基底部に設けられ、試料を貯蔵し、貯蔵された試料を気化させるための試料気化部；前記基底部に設けられ、試料を収集するために一列に連続的に配列されるように形成された複数の収集器を備え、備えられた複数の収集器が順次的に前記試料気化部から気化される物質を通るようにする収集部；前記収集部の収集器が前記試料気化部を順次的に通るように前記収集部を移動させる駆動部；及び前記試料気化部を制御して試料が気化されるようにし、前記駆動部を制御して前記収集部を移動させる制御装置を含むことを特徴とする。
【０００７】
また、本発明は前記収集部を冷却させるための冷却部をさらに含むことを特徴とする。
また、本発明は前記収集部を乾燥した状態に維持するようにするためのパージ部をさらに含むことを特徴とする。
また、本発明は前記試料気化部の温度を測定する温度測定部をさらに含むことを特徴とする。
【０００８】
また、本発明の前記制御装置は前記試料気化部の温度変化量に比例するように前記収集部の移動速度を制御することを特徴とする。
また、本発明の前記試料気化部は、試料を貯蔵する試料セル；前記試料セルを加熱するための加熱器；及び基底部に設けられ、試料セルと加熱器を搭載するためのセルホルダーを含むことを特徴とする。
【０００９】
また、本発明の前記収集部は、試料を収集するために一列に連続的に配列されるように形成された複数の前記収集器を備え、備えられた複数の収集器が順次的に前記試料気化部から気化される物質を通るように移動する移動板；及び前記移動板を支持し、前記基底部から離隔されるようにする支持部材を含むことを特徴とする。
【００１０】
また、本発明は気化される物質が限定された収集器にのみ付着されることができるように制限する開口部が形成されている誘導器をさらに含むことを特徴とする。
また、本発明の前記誘導器の開口部の間隔は調整可能であることを特徴とする。
【００１１】
また、本発明の前記収集器は板状であることを特徴とする。
また、本発明の前記収集器は０．１〜１００μｍ間隔の微細パターンを有した固体板であることを特徴とする。
【００１２】
また、本発明の前記収集器は毛細管が格子状に形成された毛細管アレイであることを特徴とする。
また、本発明の前記制御装置は、前記試料気化部の温度を設定昇温速度に比例するように増加させる温度制御器；前記駆動部を制御して、前記収集部の移動速度が前記試料気化部の温度変化量に比例して移動するようにする駆動制御器；及び前記試料気化部の温度変化量に収集部の移動速度が比例するように、前記駆動制御器を通じて駆動部を制御する中央制御器を含むことを特徴とする。
【００１３】
本発明の詳細な説明に先立ち、本明細書及び請求範囲に用いられた用語や単語は通常的かつ辞書的な意味に解釈されてはならず、発明者が自らの発明を最善の方法で説明するために用語の概念を適切に定義することができるという原則にしたがって本発明の技術的思想にかなう意味と概念に解釈されなければならない。
【発明の効果】
【００１４】
上述のような本発明によると、少量の試料を気化させるのに適する試料気化部と少量の試料を収集するのに適する収集部を備え、少量の混合物を自動的に分離することができる。
【発明を実施するための最良の形態】
【００１５】
本発明の目的、特定の長所及び新規の特徴は添付図面に係わる以下の詳細な説明および好ましい実施例によってさらに明白になるであろう。本明細書において、各図面の構成要素に参照番号を付け加えるに際し、同一の構成要素に限っては、たとえ異なる図面に示されても、できるだけ同一の番号を付けるようにしていることに留意しなければならない。また、本発明の説明において、係わる公知技術に対する具体的な説明が本発明の要旨を不必要にぼかす可能性があると判断される場合は、その詳細な説明を省略する。
【００１６】
以下、添付された図面を参照して本発明の好ましい実施例を詳細に説明する。
図１は本発明の第１実施例による混合物の分離凝縮装置の斜視図であり、図２は図１の断面図であり、図３は図１の移動板の平面図である、
【００１７】
図面を参照すると、本発明の第１実施例による混合物の分離凝縮装置は、基底部１と、試料気化部２と、温度測定部３と、収集部４と、駆動部５と、そして冷却部６とを備えている。
ここで、基底部１は板状に形成されていて、試料気化部２と駆動部５などが設けられている。図面で基底部１は円形の板に形成されているが、これに限定されるのではない。
【００１８】
そして、試料気化部２は試料を貯蔵し、貯蔵された試料を加熱して気化させるための装置であり、試料を入れる試料セル２−１と、試料セル２−１を加熱するための加熱器２−２と、試料セル２−１と加熱器２−２を搭載するためのセルホルダー２−３及びセルホルダー２−３を基底部１に固定させるための固定手段２−４を備えている。
【００１９】
このような試料気化部２の試料セル２−１に貯蔵される試料は、多様な液体混合物や、液体−固体混合物や、固体混合物または表面と内部に異物を有した固体であることができる。
そして、試料気化部２の試料セル２−１は片面に開口が形成された円筒状で、試料を貯蔵するのに適する構造を有することが好ましく、加熱器２−２の熱を試料によく伝達する物質を用いることが好ましい。このような試料セル２−１はセルホルダー２−３で開口が形成された部分が一部突出されていることが好ましい。
【００２０】
次に、前記試料気化部２の加熱器２−２は試料セル２−１を加熱させるためのものであり、試料セル２−１の周りをくるむように形成して、試料セル２−１が全体的に均一に加熱されるようにする熱電素子を用いることが好ましい。勿論、試料気化部２の加熱器２−２は全体を加熱することができるオーブンなどが用いられることもできる。
【００２１】
前記試料気化部２のセルホルダー２−３は試料セル２−１と加熱器２−２を搭載するためのものであり、内部に前記試料セル２−１と加熱器２−２の収納に適するように形成された空洞を備えており、試料セル２−１と加熱器２−２を搭載することができる。
このようなセルホルダー２−３の形状は円筒状に図示されているが、これに限定されず、多様な形状が使用可能である、
【００２２】
このようなセルホルダー２−３を基底部１に付着するために固定手段２−４が用いられて、前記固定手段２−４は好ましくは両面接着剤が用いられることができる。これと異なって、固定手段２−４として、基底部１の下から上に向けて突出されてセルホルダー２−３が基底部１に固定されるようにする締結ピンなどを用いることもできる。
【００２３】
一方、このような試料気化部２の試料セル２−１の内部や周りには温度測定部３が備えられ、備えられた温度測定部３は試料セル２−１の内部温度や周りの温度を測定して伝送する。
この際、温度測定部３には、白金抵抗温度センサー、熱電対（ｔｈｅｒｍｏｃｏｕｐｌｅ）、輻射温度計（ｐｙｒｏｍｅｔｅｒ）、ＩＣ温度計など、多様な種類が制限されずに用いられることができる。
【００２４】
次に、収集部４は、移動板４−１と、移動板４−１の一面に一列に連続的に配列され、気化される物質が付着されることができるように形成された多数の収集器４−２と、気化される物質が限定された収集器４−２にのみ付着されることができるように制限する開口部４−４が形成されている誘導器４−３、及び基底部１に設けられ、前記移動板４−１が基底部１から離隔されるように支持している支持部材４−６を備えている。
【００２５】
このような収集部４の構成で前記移動板４−１は円板状に形成されていて、軸を中心に回転することが好ましい。勿論、移動板４−１を直四角形板に形成し、長い辺方向に直線運動するように形成することもできる。
【００２６】
前記移動板４−１の材質は多様な金属または高分子物質であることができ、冷却部６によって冷却されやすい高い熱伝導を有する銅が好ましい。
このような移動板４−１には、平面図である図３に図示されたように、中心の周りにトラック形状に溝４−７が形成されていて、形成された溝４−７に多数の収集器４−２が一列に連続的に付着されている。
【００２７】
このように移動板４−１に付着された収集器４−２は、一例として、図４に図示されたようにガラス板等の滑らかな固体板４−２Ａが用いられたり、図５に図示されて図６にその断面図が図示されたように、毛細管現象を用いて収集効率を高めるために、０．１〜１００μｍ間隔の微細パターン４−２ＢＡを有した固体板４−２Ｂや、図７に図示されて図８にその断面図が図示されたように、短い毛細管４−２ＣＡがぎっしりと格子状に形成された毛細管アレイ４−２Ｃなどが用いられることができる。
【００２８】
このような収集器４−２の材料は金属、ガラス、半導体、セラミックであることができる。
次に、前記誘導器４−３は、このような収集器４−２に気化された物質が良好に付着されることができるように、気化された物質が損失なしに収集器４−２に向けるようにする開口部４−４を含んだ板状に形成されることができる。
【００２９】
このような誘導器４−３において前記開口部４−４は、収集器４−２に向けて直径が小さくなる漏斗状に形成することができる。
また、誘導器４−３は収集器４−２との間に離隔部材４−５をさらに備えて、収集器４−２と離隔されるように形成することができて、離隔部材４−５の高さを調節し、離隔される距離が遠くなるようにしたり近接するようにすることができる。
【００３０】
また、誘導器４−３の開口部４−４は必要によって間隔が増加するようにしたり小さくなるようにすることもできる。このように、誘導器４−３に形成された開口部４−４の大きさや、収集器４−２との離隔距離を調節することができるようにすると、気化される物質の量によって開口部４−４の大きさや収集器４−２との離隔距離を調節し、収集器４−２により多い量が付着されやすくすることができる。
【００３１】
次に、支持部材４−６は移動板４−１を支持し、基底部１から離隔されるようにするためのものであり、内部が空いている円筒状に形成することができる。このような支持部材４−６の内部には駆動部５が実装されている。ここでは支持部材４−６を備えて移動板４−１を支持し、駆動部５を実装するようにしたが、支持部材を備えず駆動部５が移動板４−１を支持し、支持部材４−６の役割をするようにすることもできる。
【００３２】
一方、駆動部５は移動板４−１を移動させるためのものであり、圧電モーターやステッピング電動機などが用いられることができる。前記移動板４−１が円板状で回転可能に構成される場合、前記駆動部５は移動板４−１を回転させる。
そして、冷却部６は収集器４−２に付着される物質が凝縮されるように収集器４−２を冷却させるためのものであり、冷媒循環装置に連結された熱交換器や、ペルティエ冷却器などが用いられることができる。
このように構成される本発明の第１実施例による混合物の自動分離凝縮装置は、制御装置によって駆動されて制御され、図９はこのような制御装置に対する詳細構成を示している。
【００３３】
図９を参照すると、本発明に用いられる制御装置７は、加熱電源供給器７−１と、温度制御器７−２と、駆動電源供給器７−３と、駆動制御器７−４及び中央制御器７−５とを含んでいる。
前記加熱電源供給器７−１は加熱器２−２に電源を供給する装置である、そして、温度制御器７−２は加熱器２−２に供給される電源を適切に制御して、試料セル２−１の温度が求める温度を維持するようにする。
【００３４】
そして、駆動電源供給器７−３は駆動部５に電源を供給して、駆動部５が移動板を移動させることができるようにする。
前記駆動制御器７−４は、駆動電源供給器７−３を制御して駆動部５に提供される電力を調節することにより、駆動部５によって移動する移動板の移動速度を制御する。
【００３５】
次に、中央制御器７−５は、温度測定部３で測定された温度を参照して、駆動部５によって移動する移動板の移動速度が温度に比例するように制御する。
これを、温度による移動板の回転速度を示す図１０を参照して説明すると、温度が増加されると（Ａグラフ参照）、これによって移動板の移動速度を温度勾配に比例するようにし、温度変化がない区間では移動板の移動速度が０になったり（Ｂ−１グラフ参照）、点線で表現されるように（Ｂ−２グラフ参照）一定速度を維持するようにすることができる。
【００３６】
このようになると、温度によって誘導器４−３の開口部４−４に露出されるように留まっている収集器番号を示す図１１を参照すると分かるように、試料セルの温度変化がない区間ではそれに該当する収集器（収集器番号３）に多い量の物質が付着されて収集される。
このように構成される本発明の第１実施例による混合物の分離凝縮装置の動作を説明すると次の通りである、
【００３７】
まず、試料を準備して、加熱器２−２が付着された試料セル２−１に入れた後、試料セル２−１をセルホルダー２−３に実装する。
そして、試料セル２−１の周りにある温度測定部３を用いて、試料セル２−１の内部と周りの温度を測定する。
【００３８】
このように試料セル２−１の温度が把握されると、これによって中央制御器７−５に設定昇温速度（Ｖｓ）と最終温度（Ｔｆ）を入力する。ここで、設定昇温温度は単位時間あたりセルホルダーの温度変化量を意味する。最終温度は加熱が終了される最高温度を意味する。このような設定昇温速度と最終温度は温度制御器７−２に直接入力することもできる。
【００３９】
また、中央制御器７−５に移動板の速度調節用比例定数（ｚ）を入力する。勿論、中央制御器７−５を通じなく、駆動制御器７−４に移動板の速度調節用比例定数を直接入力することができる。
ここで、中央制御器７−５に比例定数を入力すると、中央制御器７−５は駆動制御器７−４を制御して、駆動部５が移動板を実測昇温速度（Ｖｒ）に対して比例定数に該当するだけ比例するように移動板を移動させるように制御することができる。
【００４０】
即ち、中央制御器７−５は下記数学式１に表現される移動速度で移動板が移動されるように制御することができる。
[数１]
Ｖｍ＝ｚ＊Ｖｒ
ここで、Ｖｍは移動板の移動速度、ｚは比例定数、Ｖｒは実測昇温速度である、
ここで、実測昇温速度とは、温度測定部３で測定された温度の単位時間あたり変化量を意味する。
【００４１】
このように、中央制御器７−５や温度制御器７−２または駆動制御器７−４に設定昇温速度と最終速度及び移動板の速度調節用比例定数等が入力されると、中央制御器７−５または温度制御器７−２は加熱電源供給器７−１を制御して、加熱器２−２に電力が供給されて、設定された昇温速度に比例して試料セル２−１の温度が上昇するように、試料セル２−１が加熱されるようにする。
【００４２】
そして、それと同時に、温度測定部３で試料セルの温度を測定して中央制御器７−５に伝送すると、中央制御器７−５は、試料セルの実測昇温速度に比例定数だけ比例する速度で移動板が回転するように駆動制御器７−４を制御して、駆動電源供給器７−３が駆動部５に適切な電源を供給するようにする。
【００４３】
このような過程により、移動板は実測昇温速度に比例する速度で回転するようになり、試料セル２−１から気化されて出される物質を収集するようになる。
勿論、このような過程が進行される間、冷却部６は収集器４−２を常温より低い温度に維持されるように冷却させる。
【００４４】
一方、中央制御器７−５に移動板の速度調節用比例定数でなく、固定値である移動速度（Ｖｍ）を入力することができる。この場合には、前記中央制御器７−５は、移動板の移動速度（Ｖｍ）によって、試料セル２−１の温度に関わらず一定の速度で移動板を移動（または回転）させるようになる。
【００４５】
図１２は本発明の第２実施例による混合物の分離凝縮装置の斜視図であり、図１３は図１２の断面図であり、図１４は図１２の移動板の平面図である、
前記本発明の第２実施例による混合物の分離凝縮装置が第１実施例による混合物の分離凝縮装置と相異なる点は、一つでなく二つの試料気化部２、２’が備えられているという点である（これにより、試料セルも図面符号２−１と２−１’で二つになり、加熱器も図面符号２−２と２−２’で二つになり、セルホルダーも図面符号２−３と２−３’で二つになり、固定手段も図面符号２−４と２−４’で二つになる）。
【００４６】
勿論、温度測定部も図面符号３と３’で二つになる。そして、これにより収集部４は一つの収集器４−２の他に、また他の収集器４−２’列を備えている（これにより、誘導器も図面符号４−３と４−３’で二つになり、開口部も図面符号４−４と４−４’で二つになり、離隔部材も図面符号４−５と４−５'で二つになる）。
【００４７】
このように、二つの試料気化部２、２’を備え、これにより二つの収集器４−２、４−２’列を備えるようになると、一度の駆動によって二つの収集器４−２、４−２’列を通じて収集することができるため、収集物質を２倍以上にすることができる。
そして、場合によって、試料気化部２、２’に他の混合物を貯蔵して気化されるようにすると、同時に相異なる混合物を分別蒸留することができる。
また、第２実施例では不所望な大気中の水分の凝縮を防ぐために、乾燥環境で動作がなされたり乾燥窒素気体を用いて移動板を持続的にパージすることができるパージ部８がさらに備えられて、移動板を乾燥した状態に維持するようにする。
【００４８】
以上、本発明に対して説明したが、これは一実施例に過ぎず、本発明の技術的思想を外れない範囲内で多様な変化及び変形が可能であることは、本技術分野にて通常的に熟練された当業者には明らかであろう。しかし、このような変化及び変形が本発明の範囲内に属することは、添付の特許請求範囲を通じて確認されるであろう。
【図面の簡単な説明】
【００４９】
【図１】本発明の第１実施例による混合物の分離凝縮装置の斜視図である。
【図２】図１の混合物の分離凝縮装置の断面図である。
【図３】図１の移動板の平面図である。
【図４】収集器の多様な実施例である。
【図５】収集器の多様な実施例である。
【図６】収集器の多様な実施例である。
【図７】収集器の多様な実施例である。
【図８】収集器の多様な実施例である。
【図９】図１の制御装置の構成図である。
【図１０】時間による温度と移動板の移動速度を示すグラフである。
【図１１】時間による温度とそれによる収集器番号を示すグラフである。
【図１２】本発明の第２実施例による混合物の分離凝縮装置の斜視図である。
【図１３】図１２の混合物の分離凝縮装置の断面図である。
【図１４】図１２の移動板の平面図である。
【符号の説明】
【００５０】
１  基底部
２、２'  試料気化部
２−１、２−１'  試料セル
２−２、２−２'  加熱器
２−３、２−３'  セルホルダー
２−４、２−４'  固定手段
３、３'  温度測定部
４  収集部
４−１  移動板
４−２、４−２'  収集器
４−３、４−３'  誘導器
４−４、４−４'  開口部
４−５、４−５'  離隔部材
４−６  支持部材
４−７  溝
５  駆動部
６  冷却部
７  制御装置
７−１  加熱電源供給器
７−２  温度制御器
７−３  駆動電源供給器
７−４  駆動制御器
７−５  中央制御器
８  パージ部
【図１】
0005198590.tif 000002
【図２】
0005198590.tif 000003
【図３】
0005198590.tif 000004
【図４】
0005198590.tif 000005
【図５】
0005198590.tif 000006
【図６】
0005198590.tif 000007
【図７】
0005198590.tif 000008
【図８】
0005198590.tif 000009
【図９】
0005198590.tif 000010
【図１０】
0005198590.tif 000011
【図１１】
0005198590.tif 000012
【図１２】
0005198590.tif 000013
【図１３】
0005198590.tif 000014
【図１４】
0005198590.tif 000015